(57)【要約】【課題】  乗員特に運転者の近くに比較的薄いが大判の冊子状物品の収納部を設置でき、しかも、物品の収納および取り出しが容易に行え、急発進時などにおける飛び出し等の問題も生じない新規なインストルメントパネル構造を提供する。【解決手段】  フロントウインドウ（１２０）下方で車室前部を画成するパネル（４）の車両前後方向後方側に配設されたインストルメントパネル（１）の構造において、前記インストルメントパネルの少なくとも一部が車幅方向に延在する中空の筒状体で構成され、前記筒状体部分が、前記パネルに対して車両前後方向後方側に離間して配設され、かつ、両端部（１２）で車体または該車体に固定された構造要素（２）に支持されるとともに、前記筒状体部分の下方に物品を載置するための棚面（６）が配設されており、前記筒状体部分の上面前方から前記棚面上方に連続する物品収納空間（５）が画成されている。【選択図】  図２
2009078682.tif 000002
【特許請求の範囲】
【請求項１】
フロントウインドウ下方で車室前部を画成するパネルの車両前後方向後方側に配設されたインストルメントパネルの構造において、前記インストルメントパネルの少なくとも一部が車幅方向に延在する中空の筒状体で構成され、前記筒状体部分が、前記パネルに対して車両前後方向後方側に離間して配設され、かつ、両端部で車体または該車体に固定された構造要素に支持されるとともに、前記筒状体部分の下方に物品を載置するための棚面が配設されており、前記筒状体部分の上面前方から前記棚面上方に連続する物品収納空間が画成されていることを特徴とするインストルメントパネル構造。
【請求項２】
前記棚面奥側の前記パネル面に連続する部分に傾斜面が形成されていることを特徴とする請求項１に記載のインストルメントパネル構造。
【請求項３】
前記筒状体部分の上面が前側の面に連続する部分に傾斜面が形成されていることを特徴とする請求項１に記載のインストルメントパネル構造。
【請求項４】
前記筒状体部分と前記パネルとの間に、前記物品収納空間を車幅方向に複数の部分に区画する隔壁が設けられていることを特徴とする請求項１に記載のインストルメントパネル構造。
【請求項５】
前記筒状体部分の上面前側に位置した前記物品収納空間の上部に、物品収納用容器が配設されていることを特徴とする請求項１に記載のインストルメントパネル構造。
【請求項６】
前記インストルメントパネルが、車幅方向に延在する中空の筒状体で構成され、前記パネルに対して車両前後方向後方側に離間して配設され、かつ、両端部で車体または該車体に固定された構造要素に支持されるとともに、前記インストルメントパネルの下方に物品を載置するための棚面が配設されており、前記インストルメントパネルのステアリングコラム部およびメータークラスター部を除いた部分の上面前方から前記棚面上方に連続する物品収納空間が画成されていることを特徴とする請求項１に記載のインストルメントパネル構造。
【発明の詳細な説明】
【技術分野】
【０００１】
本発明は、車両のインストルメントパネル構造に関し、さらに詳しくは、インストルメントパネルの支持構造および物品収納部に特徴を有するインストルメントパネル構造に係るものである。
【背景技術】
【０００２】
車両のインストルメントパネルは、本源的にはメーターなど計器類の取付け基板や車載機器の制御盤を意味するが、車室前部のフロントウインドウ下方を覆い計器類周辺に簡潔な室内景観を造成する内装材として、運転性に対する影響も大きい部材である。このインストルメントパネルには、計器類や車載機器の制御部の他に、手袋やドライブマップなど車両に常備すべき物品を収容する収納部が付設されており、開閉式のリッドを備えたグローブボックスや、リッドの無いラック、上面に物品を載置するためのトレイなど、様々な収納形態が存在する。
【０００３】
特許文献１では、雑誌等の冊子状物品の収納を目的として、グローブボックスの開閉式のリッドに、書類フォルダのようにマチ部が展開するポケット状の収納部を付設した収納構造が開示されている。このような収納構造においては、グローブボックスのリッドの大きさに依存して、収納可能な物品の大きさ形状や数が限定される問題があり、冊子等の収納状態ではリッドの重量が増大して開閉操作が行い難くなるとともに、リッド自体にも強度を向上させるなどの対策が必要であった。
【０００４】
一方、乗員、特に運転者が、ドライブマップなどの冊子状物品をインストルメントパネルの上面に一時的に載置する場合がある。インストルメントパネルの上面にトレイが設置されている場合もあるが、このトレイは冊子状物品を載置するには小さいうえ、通常は助手席の前方にのみ設置されている。運転席前方のインストルメントパネル上面は、運転者の手近にあるが、物品が載置されたまま走行すると、フロントウインドウへの物品の写り込みによって視界が妨げられ、また、発進時や加速時に物品が運転者に向かって飛来し、安全運転の妨げになる問題がある。
【０００５】
【特許文献１】実開昭６２−１２５６４５号公報
【発明の開示】
【発明が解決しようとする課題】
【０００６】
本発明は、このような実状に鑑みて、従来のインストルメントパネルをその基本形状および支持構造から再考することによって、乗員、特に収納部の設置スペースが限定される運転者の近くに、地図や雑誌など比較的薄いが大判の冊子状物品の収納部を設置でき、しかも、物品の収納および取り出しが容易に行え、急発進時などにおける飛び出し等の問題も生じない新規なインストルメントパネル構造を提供することを目的としてなされたものである。
【課題を解決するための手段】
【０００７】
上記従来技術の有する課題を解決するため、本発明は、フロントウインドウ下方で車室前部を画成するパネルの車両前後方向後方側に配設されたインストルメントパネルの構造において、前記インストルメントパネルの少なくとも一部が車幅方向に延在する中空の筒状体で構成され、前記筒状体部分が、前記パネルに対して車両前後方向後方側に離間して配設され、かつ、両端部で車体または該車体に固定された構造要素に支持されるとともに、前記筒状体部分の下方に物品を載置するための棚面が配設されており、前記筒状体部分の上面前方から前記棚面上方に連続する物品収納空間が画成されていることを特徴とする。
【発明の効果】
【０００８】
本発明は、上記のように構成されているので、以下のような効果を奏する。
（１）乗員特に運転者の直ぐ前にあるインストルメントパネルの上面前方の物品収納空間に冊子状物品を投入するという簡単な収納操作のみで、冊子状物品が前記空間内を通じて降下し、インストルメントパネル下方の棚面上に収納され、物品が運転者の視界を妨げることがなく、急発進時などにおける物品の飛び出し等の問題も生じず、しかも、物品を容易に取り出すことができる。
（２）冊子状物品を縦にするなど、折り曲がらないような状態で物品収納空間に差し込んで収納することもでき、その収納形態においても、インストルメントパネル自体がガード部材となり、急発進時などにおける物品の飛び出しが防止される。
（３）中空筒状に構成されたインストルメントパネルは、軽量でありながら曲げ強度に優れ、両端のみで有効な支持が得られ、インストルメントパネルの上面前方に、車幅方向の広範囲に亘る物品収納空間を形成するのに寄与するとともに、従来のインストルメントパネルに無い斬新な車室前部の景観を実現できる。
【０００９】
本発明において、前記棚面奥側の前記パネル面に連続する部分に傾斜面が形成されている態様では、インストルメントパネルの上面前方の物品収納空間に投下された冊子状物品が、傾斜面で案内されて棚面の手前側に誘導され、冊子状物品を容易に取り出せる好適位置に自動的に収納できる。
【００１０】
また、本発明において、前記筒状体部分の上面が前側の面に連続する部分に傾斜面が形成されている態様では、インストルメントパネルの上面前方の物品収納空間の入口開口部が広く確保され、しかも、傾斜の分だけ乗員席に近い位置から物品を投入可能となり、かつ、投入物品が傾斜面で案内されることにより、物品収納空間内へ円滑かつ確実に投下される。
【００１１】
さらに、本発明において、前記筒状体部分と前記パネルとの間に、前記物品収納空間を車幅方向に複数の部分に区画する隔壁が設けられている態様では、物品を種類毎に分けて収納し、取り出すことができる。加えて、隔壁をインストルメントパネルの支持構造に利用できる利点もある。また、前記筒状体部分の上面前側に位置した前記物品収納空間の上部に、物品収納用容器が配設されている態様では、バラ状の小物品などを分別して収納するのに好都合である。
【００１２】
本発明において、前記インストルメントパネルが、車幅方向に延在する中空の筒状体で構成され、前記パネルに対して車両前後方向後方側に離間して配設され、かつ、両端部で車体または該車体に固定された構造要素に支持されるとともに、前記インストルメントパネルの下方に物品を載置するための棚面が配設されており、前記インストルメントパネルのステアリングコラム部およびメータークラスター部を除いた部分の上面前方から前記棚面上方に連続する物品収納空間が画成されている態様では、インストルメントパネルの上面前方の物品収納空間の入口開口部の幅が最も広く確保され、大判の冊子状物品を容易に収納できるとともに、恰もインストルメントパネル全体が、フロントウインドウ下方で車室前部を画成するパネルから独立して設置されているような斬新な車室景観が造成され、機能性と意匠性を兼備したインストルメントパネル構造が得られる。
【発明を実施するための最良の形態】
【００１３】
以下に図を用いて、本発明の詳細を説明する。
図１は、本発明に係るインストルメントパネル構造を実施した車両を後方から見た斜視図である。図において、車両１０１は、運転席および助手席を有する車室１０２の後方に、上方が開放された荷台１０３を備え、車室１０２の前方にワイパーモーターやラジエータなどを収容する補機類室１０４を備えるとともに、座席の下側にエンジンが配設されているキャブオーバータイプのピックアップトラックであり、インストルメントパネル１は、車室１０２の前部のフロントウインドウ１２０の下方に配設されている。
【００１４】
図２は、運転席側のドアを開放しその開口部から車室１０２内を見た斜視図であり、図において、インストルメントパネル１は、車幅方向に延びる中空の筒状体（図示例では八角筒状体）で構成され、その車幅方向の両端部には、截頭角錐状または截頭円錐状（図示例では截頭八角錐状）をなす側端部材１２、１２が設けられ、該各側端部材１２、１２により閉鎖されるとともに、側端部材１２、１２の中央部が支持部材２、２に固定されており、これら支持部材２、２を介してインストルメントパネル１が車体側部に固定されている。支持部材２、２には、乗員が運転席および助手席に乗降する際の補助となるアシストグリップ２１、２１が一体的に設けられており、図示例では、各アシストグリップ２１、２１が、インストルメントパネル１の外形状に適合した八角環状に形成されている。
【００１５】
インストルメントパネル１の運転席に臨む部分の上部には、メーター等の計器類が配置されメータークラスター部１１を構成する一方、メータークラスター部１１の下方は、ステアリングコラム部１３に対応した切欠部となっている。ステアリングコラム部１３の手前側に配置されるステアリングホイール３は、ステアリングコラム部１３（コラムカバー）の内部を貫通するステアリングコラム（図示せず）の上端部に取付けられ、該ステアリングコラムは、インストルメントパネル１の内部に車幅方向に貫通して設けられているステアリングサポートメンバー７（図３）にチルト機構（図示せず）などを介して支持されている。
【００１６】
以上のように構成されたインストルメントパネル１は、車室１０２とその前方に配設された補機類室１０４と仕切るダッシュパネル部４に対して離間して設けられており、ステアリングコラム部１３以外の部分では、インストルメントパネル１とダッシュパネル部４との間に隙間５が形成されている。
【００１７】
さらに、インストルメントパネル１の下方には、車幅方向の全幅に亘って下部トレイ６が延設されている。この下部トレイ６は、ダッシュパネル部４から車両後方に向かって略水平に突設され、インストルメントパネル１の下方に物品を載置して収納する棚面を形成しており、図３に示すように、インストルメントパネル１とダッシュパネル部４との間の隙間５は、下部トレイ６上面側に連通している。
【００１８】
下部トレイ６の手前側の縁部には、収容物品の落下を防止するための突縁６１が設けられている。また、下部トレイ６の奥側には傾斜面６２が設けられ、該傾斜面６２を介してダッシュパネル部４に滑らかに連続している。一方、図示例のインストルメントパネル１は、先述の通り、八角筒状をなしており、インストルメントパネル１の上面前方に開口された隙間５に至る上面前側部分には傾斜面１５が形成され、隙間５に対して広い開口部５０を形成している。また、下部トレイ６の傾斜面６２に対向したインストルメントパネル１の下面前側部分にも傾斜面１６が形成され、傾斜面６２を形成しながらも隙間５の間隔が維持されている。
【００１９】
上記構成により、インストルメントパネル１の上面前方に位置した隙間５の開口部５０に雑誌や書類など冊子状の物品を差し込むと、差し込まれた物品が隙間５を滑降して下部トレイ６に到達し、該下部トレイ６に収納される。この際、インストルメントパネル１の傾斜面１５により広い開口部５０が形成されているので、該傾斜面１５を案内面として、冊子状の物品を容易に差し込むことができる。
【００２０】
また、下部トレイ６の奥側に形成された傾斜面６２によって、隙間５内に投入された冊子状物品が下部トレイ６の手前側に案内され、下部トレイ６からの物品の取り出しも容易に行える。なお、雑誌や書類など冊子状の物品の綴じ部を縦にして開口部５０に差し込むことにより、下部トレイ６まで滑降させずに、傾斜面６２の上端付近で係止して、開口部５０から一部突出した状態で収納することもできる。すなわち、隙間５は、下部トレイ６上に物品を投下するためのシュートとして機能すると同時に、それ自体が物品収納空間として機能する。
【００２１】
このように、本発明の構造によれば、インストルメントパネル１の上部の開口部５に収納物を差し込むという、簡易な収納操作にもかかわらず、収納された冊子類などの物品が隙間５を通じて下部トレイ６に収納されるので、インストルメントパネル１の上部に放置された物品が車両の急発進等によって乗員に向かって飛び出すといった事態は生じず、また、冊子状物品を縦に差し込んで開口部５０から一部突出した状態で収納する場合にも、インストルメントパネル１自体が収納物の飛び出しを防ぐガード部材として機能することになる。
【００２２】
さらに、図４に示すように、隙間５の車幅方向全体または一部にポケット状の収納ボックス１７を設けることもできる。収納ボックス１７は、恒久的に固定されていても良いし、樹脂材の弾性等を利用し、隙間５に着脱可能に係止されていても良く、その場合、車幅方向の任意の位置に係止できるようにしても良い。また、収納ボックス１７を複数並べて設けることもできる。図４に示す例では、収納ボックス１７によって隙間５が閉鎖され、下部トレイ６の奥側の傾斜面６２は、滑落物品の案内面として利用することはできなくなるが、下部トレイ６の手前側から差し込んだ冊子状物品の先端部を傾斜面６２で上方に案内することにより、下部トレイ６の直線的な奥行き以上の寸法を有する物品を収容することができる。
【００２３】
また、図５に示すように、隙間５の車幅方向の適宜位置に、開口部５０から下部トレイ６に至る１または複数の隔壁１８を設けて、収納部を複数に区画することもできる。この構成により、収納物を分別して収容可能であることは勿論、隔壁１８をインストルメントパネル１および／または下部トレイ６の車幅方向中間部における支持構造として利用することもできる。その場合、インストルメントパネル１の内部空間１０に隔壁などの支持構造を形成しても良いし、その支持構造にステアリングサポートメンバー７への取付け部を形成しても良い。
【００２４】
なお、中空筒状をなすインストルメントパネル１の内部空間１０には、側端部材１２に配設された空気吹出口２０に空調用空気を送給するための空調ダクト（図示せず）が形成されていても良い。その場合、図３に示すインストルメントパネル１の下部１ｂと上部１ａとに空調ダクトを分割して形成しておき、下部１ｂと上部１ａとを接合することによって空調ダクトが画成されるようにしても良い。また、インストルメントパネル１の適宜位置に開閉可能な扉を設け、内部空間１０をグローブボックス（物品収納部）として利用することもできる。いずれの場合にも、中空筒状のインストルメントパネル１は、軽量でありながら曲げ強度に優れ、筒状部分の両端部における支持のみでも充分な取付け剛性が得られる。
【００２５】
以上、本発明の実施の形態について述べたが、本発明は上記実施形態に限定されるものではなく、本発明の技術的思想に基づいてさらに各種の変形および変更が可能である。
【００２６】
例えば、上記実施形態では、インストルメントパネル１が、メータークラスター部１１の両側で筒状に形成されている場合を示したが、インストルメントパネル１が、メータークラスター部１１のいずれか一方側（例えば、助手席側）のみ筒状に形成されていても良い。その場合、インストルメントパネルの筒状部分は、それに隣接したメータークラスター部１１でブラケットなどを介してステアリングサポートに固定される。
【００２７】
また、インストルメントパネル１は、八角筒状以外の角筒状、円筒状、楕円筒状、部分円筒状を含む、任意の断面形状の筒状体に構成できる。また、インストルメントパネル１の傾斜面１５、１６および下部トレイ６の傾斜面６２は全体または一部が曲面であっても良い。さらに、下部トレイ６の一部、例えば助手席に臨む部分が収納ボックスで構成されている場合や、車幅方向の中央部が空調ユニットの収容部で構成されている場合などには、それらの上面を棚面として利用できる。
【００２８】
上記実施形態では、本発明に係るインストルメントパネル構造を、座席の下部にエンジンが搭載されたキャブオーバータイプのピックアップトラックに実施する場合を示したが、本発明のインストルメントパネル構造は、これ以外の車両、例えば車両前部の補機類室１０４の位置にエンジン室を備えたピックアップトラックを始め、トラック以外の各種車両に実施可能である。
【図面の簡単な説明】
【００２９】
【図１】本発明に係るインストルメントパネル構造を実施した車両を後方から見た斜視図である。
【図２】本発明実施形態のインストルメントパネル構造を備えた車室前部を示す斜視図である。
【図３】図２のＡ−Ａ断面図である。
【図４】別の実施形態に係る図２のＡ−Ａ断面図である。
【図５】さらに別の実施形態に係る図２のＡ−Ａ断面図である。
【符号の説明】
【００３０】
１  インストルメントパネル
２  支持部材
４  ダッシュパネル部
５  隙間（物品収納空間）
６  下部トレイ（棚面）
１０  内部空間
１１  メータークラスター部
１２  側端部材
１３  ステアリングコラム部
１５、１６、６２  傾斜面
１７  収納ボックス（物品収納用容器）
１８  隔壁
５０  開口部
１０１  車両
１０２  車室
１０４  補機類室
【図１】
2009078682.tif 000003
【図２】
2009078682.tif 000004
【図３】
2009078682.tif 000005
【図４】
2009078682.tif 000006
【図５】
2009078682.tif 000007